(57)【特許請求の範囲】
【請求項１】
ＰＴＰ包装に格納された錠剤を押しだす錠剤容器であって、
前記錠剤容器は、錠剤収容部と前記錠剤収容部の上方を覆う天板とを含み、
前記天板に錠剤押出孔と、ＰＴＰ包装の裏面シートを下方に凸に湾曲させる湾曲支援手段とを備え、
前記錠剤押出孔は前記錠剤よりも長い長孔とされ、
前記湾曲支援手段は、上方に突出された筋状凸部であって、前記錠剤押出孔の長手方向両側に沿って形成され、
前記錠剤を押しだす際に、前記筋状凸部が、前記ＰＴＰ包装の押しだされる錠剤の錠剤格納部の側部の下方を両側から支えて、前記錠剤格納部の裏面シートを下方に凸に湾曲させる、
ことを特徴とする錠剤容器。
【請求項２】
各々の前記筋状凸部の高さと、並んだ前記筋状凸部の間隔とのうちの少なくともいずれかが、前記錠剤押出孔に押しだす際のＰＴＰ包装の先方側を大きな曲率に湾曲させる大きさに形成されている、
ことを特徴とする請求項１に記載の錠剤容器。
【請求項３】
前記筋状凸部のいずれかの位置に尖端を有する突起が備えられている、
ことを特徴とする請求項１又は請求項２に記載の錠剤容器。
【請求項４】
ＰＴＰ包装に格納された錠剤を押しだす錠剤容器であって、
前記錠剤容器は、錠剤収容部と前記錠剤収容部の上方を覆う天板とを含み、
前記天板に錠剤押出孔と、前記錠剤を押しだす際にＰＴＰ包装の裏面シートを下方に凸に湾曲させる湾曲支援手段とを備え、
前記湾曲支援手段がスリット部であって、前記錠剤押出孔の縁部から一方向に天板を分割させるように伸びている、
ことを特徴とする錠剤容器。
【請求項５】
前記錠剤容器が鞘体を含み、
前記錠剤収容部が、複数の錠剤格納部がつながったＰＴＰ包装を重ねて収容可能な容積を有し、前記錠剤収容部の側面及び前記天板のうちの少なくともいずれかの部分から、前記錠剤収容部の中が視認可能とされ、且つ、前記錠剤収容部の側面又は前記天板のいずれかの部分に錠剤服用孔が形成され、
前記錠剤押出孔及び前記錠剤服用孔が覆われるように、前記錠剤収容部と前記天板とが前記鞘体に格納可能とされている、
ことを特徴とする請求項１乃至請求項４のいずれか一項に記載の錠剤容器。
【発明の詳細な説明】
【技術分野】
【０００１】  本発明は、ＰＴＰ包装に包装された錠剤やカプセル剤を、ＰＴＰ包装から小さな力で押しだすことができる錠剤容器に関する。詳細には、錠剤容器の天板に、ＰＴＰ包装から錠剤等を押しだす錠剤押出孔と、ＰＴＰ包装の裏面シートを湾曲させやすくする湾曲支援手段とを備えた錠剤容器に関する。更に、押しだすべき錠剤を錠剤押出孔の位置に合わせやすくする位置決め支援手段を有し、複数の錠剤格納部がつながったＰＴＰ包装を収容可能な携帯に適する錠剤容器に関する。
【背景技術】
【０００２】  従来、ＰＴＰ包装から錠剤を取り出す際には、錠剤格納部の裏面の近傍を人差指等で支持し、親指でＰＴＰ包装の錠剤格納部の膨出部をつぶすようにして錠剤が取り出されていた。錠剤を裏面シートから取り出す際に、押しだした錠剤を指先でつまみ損ねると、錠剤を床などに落とし、服用前の錠剤が不衛生な状態となっていた。【０００３】  また、錠剤の大きさが小さい場合には、錠剤格納部の膨出部の水平方向の断面積が小さくなるため、膨出部が変形しにくくなり、高齢者や指先の力が弱った者には、錠剤が押しだしにくいという課題があった。更に、多数の錠剤を服用することが必要とされるようになった高齢者等は、ＰＴＰ包装から錠剤を取り出す際に、錠剤を床等に落とすことが多く、錠剤が取り出しやすく且つ服用しやすい錠剤容器が求められていた。【０００４】  外出時などに複数種類の錠剤を携帯する場合には、外出中に服用すべき錠剤の数が多くなるため、錠剤が散乱しないようにＰＴＰ包装につながったままで錠剤を携帯し、錠剤の種類毎に服用すべき数の錠剤を押しだして服用し、空になった錠剤格納部の数を確認することにより錠剤の飲み忘れがないことが管理される。【０００５】  そこで、ＰＴＰ包装から錠剤が取り出しやすいように、特許文献１には、筒体と、ＰＴＰ包装を破断位置に案内するガイドストッパと、錠剤を押圧する突起を備えた搖動スナップ板とからなるＰＴＰ包装の錠剤・カプセル取出器の技術が開示されている。筒体の天面には、錠剤・カプセルの両方で使用できるように瓢箪型の貫通孔が備えられ、貫通孔からスナップ板で押しだされた錠剤は筒体に一時的に収容され、筒体の側方開放部から服用される。【０００６】  しかし、ＰＴＰ包装に格納された錠剤が小さい場合には、ガイドストッパの端部にＰＴＰ包装をあてがっても、押圧突起部とガイドストッパの隙間に、取り出すべき錠剤の錠剤格納部が挟まり、スナップ板を指先で大きく変形するまで押し下げ、貫通孔に突起が嵌まるようにしないと錠剤が押し出せず、かえって大きな力が必要になるという課題があった。また、筒体の開口が小さいため、内部が汚れた場合等に清掃しにくく、筒体の内部を衛生的に保ちにくいという課題があった。【０００７】  特許文献２には、ＰＴＰ包装を破断させやすくするため、破断誘導用の脆弱部を形成させる突起状をなす裏面シートの脆弱部形成手段を、ＰＴＰ包装の医薬品収納部相当箇所の一部に設けた医薬品取出し装置の技術が開示されている。この発明によれば、ＰＴＰ包装の裏面シートの一部に脆弱部を形成させておいて、可動体により押しだす錠剤の凸状押圧部への近接移動に連れて錠剤を押圧することにより、ＰＴＰ包装から錠剤を小さな力でも容易に取り出すことができるとされている。【０００８】  しかし、錠剤の大きさによってＰＴＰ包装に配置されている錠剤の間隔が異なっているため、可動体に形成された長孔に適合しないＰＴＰ包装の場合には、ＰＴＰ包装を分割して長孔に沿わせることが必要とされる。更に、小さな錠剤を包装するＰＴＰ包装を、仮に分割して可動体の長孔に沿って移動させたとしても、脆弱部形成手段に裏面シートの錠剤相当箇所をあてることが困難であるばかりか、凸状の押出部と突起状の脆弱部形成手段���の間に錠剤が挟まれて、ＰＴＰ包装から錠剤が押し出せない場合があるという課題があった。また、構造が複雑で部品数が多く、装置が大きくなり携帯しにくいという課題もあった。【０００９】  特許文献３には、ＰＴＰ包装を分割し錠剤を容器に収容し、天蓋に錠剤の大きさと形状に応じた孔と、その周辺に分割されたＰＴＰ包装に合わせた大きさの凹み部とを備えた錠剤・カプセル剤の取出し容器の技術が開示されている。そして、孔に表面側に向かって広くなるテーパ面を凹み部に備えさせることで、錠剤が孔に入りやすくなると共に、ＰＴＰ包装の裏面シートが引っ張られてアルミ箔が破断されやすくなるとされている。【００１０】  しかし、この技術によれば、大きさと形状が異なる錠剤に応じて、分割された複数の大きさの凹み部が設けられているため、あらかじめ設けられた凹み部に適合した大きさに分割できるＰＴＰ包装でない場合には、凹み部に錠剤を位置決めしにくく、錠剤を取り出しにくいという課題があった。また、ＰＴＰ包装をつなげたままで携帯できず、錠剤の種類や数が多い場合には、ばらばらに分割された錠剤の中から服用すべき錠剤を選ぶことが煩わしく、錠剤の服用管理をすることが困難になるという課題があった。
【先行技術文献】
【特許文献】
【００１１】特許文献１：登実３０４５７０１号公報特許文献２：特開２００９−２５５９６６号公報特許文献３：登実３１７３２６６号公報
【発明の概要】
【発明が解決しようとする課題】
【００１２】  本発明が解決しようとする課題は、異なる形状や大きさの錠剤であっても、格納されたＰＴＰ包装から錠剤が取り出しやすく、錠剤の服用管理がしやすい簡単な構成の錠剤容器を提供することである。更に、外出時にも携帯しやすい錠剤容器を提供することである。
【課題を解決するための手段】
【００１３】  本発明の第１の発明は、ＰＴＰ包装に格納された錠剤を押しだす錠剤容器であって、前記錠剤容器は、錠剤収容部と前記錠剤収容部の上方を覆う天板とを含み、前記天板に錠剤押出孔と、前記錠剤を押しだす際にＰＴＰ包装の裏面シートを下方に凸に湾曲させる湾曲支援手段とを備え、前記湾曲支援手段が上方に突出された凸部であって、前記錠剤押出孔の少なくとも一方の側部近傍に形成されていることを特徴としている。【００１４】  ここで、錠剤は、粉末を固化した丸薬に限定されず、散剤、液体又はゲル等がカプセルに封入されたカプセル薬、異形形状の薬であってもよい。錠剤容器の形状・大きさは限定されず、材質も樹脂製に限定されず、木製、紙製等との複合体であってもよい。また、錠剤押出孔の形状は、円形形状、長円形形状、扇型形状、矩形形状、瓢箪形の形状等に限定されない。錠剤押出孔の大きさは、複数種類のＰＴＰ包装に格納されている錠剤のうちの大きな錠剤が通過可能な大きさであればよい。【００１５】  凸部は錠剤押出孔の一方の側方だけに限定されず、両側の側方に形成されてもよいことは勿論のことである。また、凸部は、筋状に伸びるように形成されてもよく、直線に沿うように不連続に設けられていてもよい。凸部の高さは限定されず、上方からＰＴＰ包装を押し下げた際に、ＰＴＰ包装が湾曲される高さであればよい。【００１６】  第１の発明によれば、錠剤押出孔の上方にあてがわれた錠剤格納部の側部の下方を、凸部に支えるように天板に載置できるため、指先でＰＴＰ包装の下方を支える必要がなく、錠剤容器に載せた錠剤格納部を押し下げて、ＰＴＰ包装の裏面シートを下方に凸とさせて破断させ、錠剤の押し出しが可能である。また、押し下げている指の感触でも、ＰＴＰ包装が下方に略Ｕ字状に湾曲されていることを知ることができる。これにより、高齢者や視力が低い者であっても、錠剤の大きさ・形状にかかわらず、錠剤を錠剤押出孔にあてがいやすく、小さな力でも裏面シートが破断されやすく、ＰＴＰ包装に格納された錠剤を取り出しやすいという有利な効果が得られる。【００１７】  本発明の第２の発明は、第１の発明の錠剤容器であって、前記凸部が、前記錠剤押出孔の両側に筋状に形成されていることを特徴としている。【００１８】  本発明の第２の発明によれば、錠剤押出孔の両側に凸部が筋状に形成されているため、ＰＴＰ包装の押しだされるべき錠剤を押し下げた際に、その位置の錠剤格納部の裏面シートが、下方に略Ｕ字状に湾曲されていることが触知されやすい。これにより、高齢者や視覚が不自由な者であっても、錠剤を押しだすために適した位置に、錠剤が押しあてられていることを容易に知ることができ、錠剤を錠剤押出孔によりあてがいやすく、錠剤を取り出しやすい。【００１９】  本発明の第３の発明は、第２の発明の錠剤容器であって、各々の前記凸部の高さ及び並んだ凸部の間隔のうちの少なくともいずれかが、前記錠剤押出孔に押しだす際のＰＴＰ包装の先方側を大きな曲率に湾曲させる大きさに形成されていることを特徴としている。【００２０】  凸部の高さと並んだ凸部の間隔は、錠剤押出孔に押しあてられたＰＴＰ包装の先方側が大きな曲率に湾曲されるように組み合わせて決定すればよい。例��ば、筋状に形成された各々の前記凸部の間隔を同じ幅として、先方側を高く、後方側を低く形成してもよい。また、一方の先方側を高く、後方側を低く形成してもよい。また、各々の凸部の高さを同一にして、並んだ凸部の先方側の間隔を広く、後方側の間隔を狭くしてもよい。【００２１】  本発明の第３の発明によれば、ＰＴＰ包装の膨出部を押し下げた際に、ＰＴＰ包装の先方側が大きな曲率、換言すれば小さな曲率半径となるように大きく湾曲され、ＰＴＰ包装の取り出すべき錠剤の先方側がより破断されやすくなる。これにより、より小さな力で裏面シートが破断されやすくなり、ＰＴＰ包装容器に格納された錠剤がより取り出しやすくなる。【００２２】  本発明の第４の発明は、第１から第３の発明の錠剤容器であって、前記凸部のいずれかの位置に尖端を有する突起が備えられていることを特徴としている。突起の数は限定されず、凸部全体に連続に又は不連続に形成させてもよい。錠剤押出孔の両側に凸部が形成されている場合には、一方の側の凸部に突起が形成されると、ＰＴＰ包装の一方の側の裏面シートが破断されて、錠剤が押しだされた後に、裏面シートは他方の側につながったままとされ、錠剤収容部の中に落ちにくく好適である。【００２３】  第４の発明によれば、小さな錠剤を包装したＰＴＰ包装の場合でも、尖端を有する突起にＰＴＰ包装の錠剤格納部の裏面シートの一部を引っ掛けて破断させてから、湾曲支援手段により裏面シートが湾曲される。これにより、小さな錠剤を格納したＰＴＰ包装が硬く取り出しにくくても、小さな力で裏面シートが開いて錠剤を取り出しやすい。【００２４】  本発明の第５の発明は、ＰＴＰ包装に格納された錠剤を押しだす錠剤容器であって、前記錠剤容器は、錠剤収容部と前記錠剤収容部の上方を覆う天板とを含み、前記天板に錠剤押出孔と、前記錠剤を押しだす際にＰＴＰ包装の裏面シートを下方に凸に湾曲させる湾曲支援手段を備え、前記湾曲支援手段がスリット部であって、前記錠剤押出孔の縁部から一方向に天板を分割させるように伸びていることを特徴としている。【００２５】  ここでスリット部は、錠剤押出孔の縁部から一方のみに伸びてもよく、直線に沿って両方向に伸びてもよい。第５の発明によれば、錠剤押出孔の上方にあてがわれた位置の錠剤格納部の裏面シートが、下方に凸となるように略Ｕ字状に湾曲される。これにより、小さな力で裏面シートが破断されやすく、錠剤の大きさ・形状にかかわらず、ＰＴＰ包装から格納された錠剤を取り出しやすい。【００２６】  本発明の第６の発明は、第１から第５の発明の錠剤容器であって、ＰＴＰ包装の錠剤を、押出位置に位置決めすることを支援する第１の位置決め支援手段を含み、第１の位置決め支援手段が、長く伸びて長孔とされた錠剤押出孔であって、前記錠剤押出孔の上方に押しだされるべき錠剤をあてがった際に、前記ＰＴＰ包装の縁部から前記長孔の一部が視認可能とされる長さであることを特徴としている。【００２７】  錠剤押出孔とされる長孔は、幅が複数種類のＰＴＰ包装に格納されている錠剤のうちの広幅の錠剤が通過可能な幅であればよく、形状は限定されない。錠剤押出孔の上方にＰＴＰ包装に格納されている錠剤をあてがった際に、錠剤格納部の裏面シートにより錠剤押出孔の大部分が隠れていても、位置決め支援手段をなす長孔の一部が、ＰＴＰ包装の外に視認可能とされる。これにより、押しだされるべき錠剤の位置の裏面シート部分を錠剤押出孔の直上部にあてがいやすく、ＰＴＰ包装から錠剤を取り出しやすい。【００２８】  本発明の第７の発明は、第１から第６の発明の錠剤容器であって、ＰＴＰ包装の錠剤を、押出位置に位置決めすることを支援する第２の位置決め支援手段を含み、第２の位置決め支援手段が、前記錠剤押出孔の近傍に形成されたガイド線であることを特徴としている。【００２９】  ガイド線は、天板の天面に表示された線に限定されず、スリット部、溝等であってもよい。ガイド線は、前記錠剤押出孔の近傍からいずれの方向に伸びてもよい。例えば、第５の発明の錠剤押出孔のスリット部又は第６の発明の長孔の長手方向に沿って伸びてもよく、交差するように伸びてもよい。また、ガイド線は識別可能とされたものであればよく、その形態は限定されない。またガイド線の本数も限定されない。【００３０】  第７の発明によれば、錠剤押出孔がＰＴＰ包装に隠れた状態となっていても、ＰＴＰ包装の範囲から外にガイド線が伸びているため、それを手掛かりにして錠剤押出孔の位置を特定することが容易となる。これにより、押しだされるべき錠剤の位置の裏面シート部分を、錠剤押出孔の直上部によりあてがいやすく、ＰＴＰ包装から錠剤をより取り出しやすい。【００３１】  本発明の第８の発明は、第１から第７の発明の錠剤容器であって、前記錠剤容器が鞘体を含み、前記錠剤収容部が、複数の錠剤格納部がつながったＰＴＰ包装を重ねて収容可能な容積を有し、前記錠剤収容部の側面及び前記天板のうちの少なくともいずれかの部分から、前記錠剤収容部の中が視認可能とされ、且つ、前記錠剤収容部の側面又は前記天板のいずれかの部分に錠剤服用孔が形成され、前記錠剤押出孔及び前記錠剤服用孔が覆われるように、前記錠剤収容部と前記天板とが前記鞘体に格納可能とされていることを特徴としている。【００３２】  第８の発明によれば、前記錠剤収容部が複数の錠剤格納部がつながったＰＴＰ包装を収容可能な容積を有する。錠剤収容部を略矩形の断面形状とすると、複数の錠剤格納部がつながったＰＴＰ包装を効率よく格納でき、携帯しやすい錠剤容器となる。また、錠剤収容部の側面及び前記天板のいずれかから錠剤容器の内部が視認可能とされていることにより、錠剤収容部の内部に押し出された錠剤等を、簡単に目視して確認できる。また、錠剤容器の底面が一色とされ、又は錠剤が識別されやすい柄とされていると、錠剤収容部の中に異物が混入しても、異物を発見して排除しやすい。【００３３】  複数種類の錠剤、複数個の錠剤を服用する場合でも、予め全てのＰＴＰ包装から服用すべき全ての錠剤を、錠剤収容部の中に押しだしておいて、裏面シートの破片等の不要物が混在していないこと、及び服用すべき錠剤の種類と数が間違っていないことを確認した上で、錠剤服用孔から錠剤を服用することができる。これにより、複数種類のＰＴＰ包装を携帯しやすく、複数の錠剤等を服用する場合でも、錠剤の呑み忘れがないように服用管理することが容易である。【００３４】  また、錠剤容器の開口部が鞘���で覆われているため、錠剤容器の内部に埃等の異物が混じることがない。これにより、外出時に複数種類の錠剤を収容した錠剤容器を鞄等に入れて携帯しても、錠剤容器の中に異物が混入せず、錠剤容器内が衛生的な状態に保持される。
【発明の効果】
【００３５】・本発明の第１の発明によれば、高齢者や視力が低い者であっても、錠剤の大きさ・形状にかかわらず、錠剤を錠剤押出孔にあてがいやすく、小さな力で裏面シートを破断しやすく、ＰＴＰ包装に格納された錠剤を取り出しやすいという有利な効果が得られる。・本発明の第２の発明によれば、高齢者や視覚が不自由な者であっても、錠剤を押しだすために適した位置に、錠剤が押しあてられていることを容易に知ることができ、錠剤を錠剤押出孔によりあてがいやすく、錠剤を取り出しやすい。・本発明の第３の発明によれば、より小さな力で裏面シートが破断しやすくなり、ＰＴＰ包装容器に格納された錠剤がより取り出しやすくなる。【００３６】・本発明の第４の発明によれば、小さな錠剤を格納しＰＴＰ包装が硬く取り出しにくくても、小さな力で裏面シートが開いて錠剤が取り出しやすい。・本発明の第５の発明によれば、小さな力で裏面シートが破断されやすく、錠剤の大きさ・形状にかかわらず、ＰＴＰ包装から格納された錠剤を取り出しやすい。・本発明の第６の発明によれば、押しだされるべき錠剤の位置の裏面シート部分を錠剤押出孔の直上部にあてがいやすく、ＰＴＰ包装から錠剤を取り出しやすい。【００３７】・本発明の第７の発明によれば、押しだされるべき錠剤の位置の裏面シート部分を、錠剤押出孔の直上部によりあてがいやすく、ＰＴＰ包装から錠剤をより取り出しやすい。・本発明の第８の発明によれば、複数種類のＰＴＰ包装を携帯しやすく、複数の錠剤等を服用する場合でも、錠剤の呑み忘れがないように服用管理することが容易である。また、外出時に複数種類の錠剤を収容した錠剤容器を鞄等に入れて携帯しても、錠剤容器の中に異物が混入せず、錠剤容器内が衛生的な状態に保持される。
【図面の簡単な説明】
【００３８】
【図１】錠剤容器の斜視図（実施例１）。
【図２】錠剤容器の使用説明図（実施例１）。
【図３】錠剤容器の斜視図（実施例２）。
【図４】錠剤容器の斜視図（実施例３）。
【図５】錠剤容器の斜視図（実施例４）。
【図６】錠剤容器の斜視図（実施例５）。
【図７】錠剤容器の使用説明図（実施例５）。
【図８】錠剤容器の斜視図（実施例６）。
【図９】錠剤容器の斜視図（実施例７）。
【図１０】錠剤容器の斜視図（実施例８）。
【発明を実施するための形態】
【００３９】  異なる形状や大きさの錠剤であっても、格納されたＰＴＰ包装から錠剤が取り出しやすく、その服用管理がしやすく、携帯に適した錠剤容器を、錠剤押出孔と、ＰＴＰ包装を湾曲支援する湾曲支援手段と、錠剤の位置決め支援手段とを備えた天板と、つながったＰＴＰ包装を重ねて収容可能な錠剤収容部と、錠剤押出孔と錠剤服用孔の覆いと、を含んだ簡単な構成の錠剤容器により実現した。
【実施例１】
【００４０】  実施例１では、図１と図２を参照して、錠剤容器１を説明する。図１は錠剤容器１の斜視図であり、図２は錠剤容器１の使用説明図である。図１（Ａ）図は天板１０が閉じられている状態を示し、図１（Ｂ）図は天板１０が開かれた状態を示している。錠剤容器１は、錠剤収容部２０と天板１０とからなり、長さが約９ｃｍ、幅が約４．５ｃｍとされ、名刺と略同じ大きさとされ、高さは約１ｃｍとされ、複数枚のＰＴＰ包装９０を重ねて収容することが可能な容積とされている。錠剤容器１の材質は、ポリプロピレン等の樹脂製が好適であるが限定されない。【００４１】  天板１０は錠剤収容部２０と一体とされているが、別体に形成させてもよいことは勿論のことである。天板１０には錠剤収容部の側部２９と係合して、錠剤収容部を塞ぐ係合部１１が形成されている。天板１０は透明樹脂からなり、天板１０が閉じられた状態で錠剤収容部２０が視認可能とされている。天板１０には、錠剤収容部２０と連通される錠剤押出孔３０と、湾曲支援手段とされる凸部４０と、ＰＴＰ包装の位置合わせ用のガイド線５０と、スリット部６０とが備えられている。【００４２】  錠剤押出孔３０は、錠剤容器１の長手方向に伸び、長さが約３ｃｍ、幅が約１ｃｍの長円形状の長孔とされている。ＰＴＰ包装に包装されているカプセル剤よりも長く形成され、長尺のカプセル剤を錠剤押出孔３０の上方にあてがった状態で、ＰＴＰ包装の外縁部から長孔の端部３１が視認可能な長さ（図２（Ａ）図参照）とされ、第１の位置決め支援手段とされている。錠剤押出孔３０の位置は天板１０の中央部から一方に偏った位置としているが限定されない。【００４３】  錠剤押出孔３０の両側には、上方に突出するように筋状の凸部４０が形成される。各々の凸部４０は、先方側４１（図１（Ａ）図下側）が天板から約３ｍｍの高さとされ、後方側４２（図１（Ａ）図上側）が天板から約１ｍｍの高さとされ、後方側４２から先方側４１に向けて高くなるように形成されている。なお、いずれの実施例でも、図の理解を容易にするため、図の上方を後方側、図の下方を先方側としている。【００４４】  ガイド線５０は、錠剤押出孔３０の先端からやや後方の位置に、長孔に交差する方向に表され、第２の位置決め支援手段とされている。ガイド線５０が備えられることにより、錠剤押出孔の先方側３５が目視しにくい位置、方向にＰＴＰ包装９０があてがわれた場合であっても、ガイド線５０を基準として、押出すべき錠剤を錠剤押出孔３０の上に位置決めすることが容易となる。ガイド線５０は、錠剤押出孔３０の両側に備えられる場合に限定されず、片側だけに備えられてもよい。また、ガイド線の本数、線長、線幅、色等の形態は限定されない。【００４５】  錠剤押出孔の先方側３５からは、スリット部６０が長孔に沿う方向に伸び、第２の位置決め支援手段の一つとされる。スリット部６０は長さ約２ｃｍとされ、スリット部の上方側６１が広くなるように傾斜され、天板が湾曲しやすくされている。いずれかの位置決め支援手段により、押しだすべき錠剤格納部９１を所望の位置にあわせて、錠剤を上から押し下げると、錠剤押出孔の両側の凸部４０がＰＴＰ包装９０を支え、錠剤押出孔の先方側３５に形成されたスリット部６０の両側６２が下がるように変形し、ＰＴＰ包装の湾曲支援手段として機能する。【００４６】  錠剤収容部２０の隅部近傍には、錠剤服用孔２１が形成されている。図２で示すように錠剤収容部２０に、各々のＰＴＰ包装に格納されていた錠剤を押しだしてから、服用すべき錠剤を確認して、錠剤服用孔２１から錠剤を服用する。ここで、錠剤服用孔２１の上方及び下方を覆うように、天板２２及び底板２３が伸びているため、切断したＰＴＰ包装の尖った角隅部が錠剤収容部２０の外方に突出されることがなく、錠剤服用者に怪我をさせず安全である。【００４７】  次に、図２を参照して錠剤容器１の使用状態を説明する。図２（Ａ）図は前記錠剤格納部９１を押しだし位置にあわせて、押し下げる前の状態を説明し、図２（Ｂ）図はカプセル剤を押しだしている状態を説明する図である。一点鎖線は錠剤収容部内に押しだされたカプセル剤を示し、破線は錠剤押出孔の天板の下面側の想像線を示している。【００４８】  カプセル剤はスリット部６０、ガイド線５０からなる第２の位置決め支援手段を手掛かりにして、錠剤格納部９１を所定の位置に合わせ、第１の位置決め支援手段として機能する長孔の端部３１が、ＰＴＰ包装の縁部９２から視認できている状態で、錠剤格納部９１の先方側を押し下げるようにする（図２（Ａ）図参照）。ここで、カプセル剤の後方部は錠剤押出孔の真上から後方にずれた位置とされていてもよい。【００４９】  凸部の先方側４１が、後方側４２よりも高く形成されているため、錠剤格納部９１の先方側が後方側よりも大きく湾曲し、カプセル剤格納部の湾曲された先方側の曲率が大きくなる。そして、錠剤格納部９１の裏面シートの先方側が破断して、カプセル剤の先方側が裏面シートから錠剤収容部２０に向けて露出する。更に錠剤格納部９１を押し下げることにより、カプセル剤全体が、カプセル剤の先方側から錠剤収容部２０に落下するように押しだされる（図２（Ｂ）図参照）。
【実施例２】
【００５０】  実施例２では、図３を参照して錠剤押出孔の先方側が開いている長孔３２が天板１０に形成された錠剤容器２を簡単に説明する。図３は錠剤容器２の斜視図を示している。以下の実施例では、実施例１と同様の構成については、図に同一の符号を付して説明を省略する。天板の構成の違いを除き、錠剤容器１と同一の構成とされている。錠剤容器２の長孔３２は、先方側の幅が約１．５ｃｍ、後方側の幅が約１ｃｍとされ、長孔３２は先方が広い錠剤押出孔とされている。錠剤容器２では、スリット部に代えて長孔の長手方向に沿うガイド線５１と交差するガイド線５０が天板に表示され、そのいずれもが第２の位置決め支援手段とされている。【００５１】  また、長孔の両側には、長孔の縁部に沿って天板から約１ｍｍの高さの凸部４３が形成されている。両側の凸部４３の高さが同一の高さとされているが、錠剤押出孔の先方側が開いているため、錠剤格納部９１（図２（Ｂ）図参照）の先方側が後方側よりも大きく湾曲し、錠剤格納部９１の湾曲された先方側の曲率が大きくなる。そして、錠剤容器１の場合と同様に、錠剤の先方側が、裏面シートから錠剤収容部に向けて露出する。更に錠剤格納部９１を押し下げることにより、錠剤全体が、錠剤格納部から錠剤収容部に落下するように押しだされる
【実施例３】
【００５２】  実施例３では、図４を参照して、錠剤押出孔の一方側に、尖端４４を備えた点状突起４５が並んで形成されて凸部とされている錠剤容器３を説明する。図４は錠剤容器３の斜視図を示している。錠剤容器３では、錠剤容器２のガイド線５０，５１に加えて、天板の点状突起の一つから、長孔と交差する方向に伸びるガイド線５２が表示されている。このガイド線５２を確認しながら、錠剤格納部の裏面シートの一部を尖端４４により破断して錠剤を押しだすことができるため、小さな錠剤を格納したＰＴＰ包装であっても、錠剤が押しだしやすい。
【実施例４】
【００５３】  実施例４では、図５を参照して錠剤押出孔３０の先方側からスリット部６０が伸びている錠剤容器４を説明する。図５は錠剤容器４の斜視図を示している。錠剤容器４では錠剤押出孔３０をなす長孔が第１の位置決め支援手段とされ、錠剤格納部９１（図２（Ｂ）図参照）が所定の位置に合わせやすくされている。スリット部６０は第２の位置決め支援手段とされるとともに、天板１２の湾曲支援手段とされ、錠剤が押しだしやすくされている。
【実施例５】
【００５４】  実施例５では、図６と図７を参照して錠剤押出孔の一方側の凸部４６が尖端４７を有する突起を備えた錠剤容器５を説明する。図６は錠剤容器５の斜視図を示し、図７は小さな錠剤を格納したＰＴＰ包装から錠剤を取りだす方法を説明する図を示している。錠剤容器５では、凸部４６の上部に尖端４７をなす突起が形成され、その位置から長孔と交差する方向に伸びるガイド線５３が表示されている。錠剤容器３と同様に、このガイド線５３を手掛かりにして、錠剤格納部の裏面シートの一部を破断させやすい。【００５５】  ここで図７を参照して、錠剤容器５を使ってＰＴＰ包装から小さな錠剤を取りだす方法を説明する。まずガイド線５３を手掛かりにして、ＰＴＰ包装に格納されている小さな錠剤の錠剤格納部９３の周縁空間のいずれかに尖端４７をあてるようにして（図上一点鎖線で示している。）、錠剤格納部９３の裏面シートの一部を破断させる。【００５６】  そして、錠剤格納部９３が錠剤押出孔３０の上に位置するようにＰＴＰ包装をずらして（図上二点鎖線で示している。）、上方から錠剤格納部９３を押し下げて、錠剤を押しだすようにする。そうすると、裏面シートの一部が破断された状態のＰＴＰ包装が、下方に凸となるように湾曲されることになるため、破断された部分を起点として、小さな錠剤を格納した錠剤格納部が変形しにくいＰＴＰ包装であっても、極めて容易に錠剤を取りだすことができる。
【実施例６】
【００５７】  実施例６では、図８を参照して、錠剤押出孔３０と錠剤服用孔２４とにスライド蓋３３，２５が形成された錠剤容器６を説明する。図８は錠剤容器の天板１０を開いた状態を斜視図により示している。錠剤容器６は、天板１０の内側において、錠剤押出孔３０の長手方向位置に形成された摺動溝３４，３４に沿って、錠剤押出孔用のスライド蓋３３がスライドされ、錠剤押出孔３０が開閉可能とされている。天板１０の上面には、図では省略しているが、錠剤容器１と同様に凸部、ガイド線、スリット部が形成されている。【００５８】  また、錠剤容器６の錠剤収容部２０の側面には、錠剤服用孔２４が形成され、錠剤押出孔と同様な構成でスライド蓋２５により開閉可能とされている。錠剤容器６では、外部から錠剤収容部２０につながる二つの孔３０，２４が閉鎖可能とされているため、錠剤容器６を鞄等に入れて持ち運んでも、錠剤収容部２０に埃等の異物が混入せず、衛生的な状態で錠剤収容部を保持できる。
【実施例７】
【００５９】  実施例７では、図９を参照して、しずく型の形態をした錠剤容器７を説明する。図９は錠剤容器７を説明する斜視図である。錠剤容器７は、水平方向の断面積がやや小さくされ、錠剤収容部２０の高さがやや高くされ、天板１３には錠剤容器１と同様な凸部、スリット部、ガイド線が設けられ、しずく型錠剤容器の先方側に錠剤服用孔２６が形成されている。錠剤収容部２０の高さが高いため、小さな面積につながったＰＴＰ包装を重ねて収容しやすく、錠剤服用孔２６が窄まった先端にあるため、錠剤が服用しやすく、角張った部分がなく鞄等に入れて携帯しやすい。
【実施例８】
【００６０】  実施例８では、図１０を参照して、実施例１の錠剤容器１と、それを格納する鞘体７０とからなる錠剤容器８を説明する。図１０は錠剤容器１を鞘体７０に格納する状態を説明する説明図である。錠剤容器1は、鞘体の開放部７１から図１０に示した矢印方向に差し込まれて、鞘体７０の中に格納される。錠剤容器１が鞘体７０の中に格納されることにより、錠剤押出孔３０と錠剤服用孔２１が鞘体７０に覆われて、閉鎖された錠剤容器８とされる。錠剤容器８は、鞘体７０に格納された状態で、外部から錠剤収容部２０（図１（Ｂ）図参照）に埃や塵等の異物が混入せず、衛生的な状態で錠剤収容部２０を保持できる。【００６１】（その他）・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００６２】１，２，３，４，５，６，７，８…錠剤容器、１０…天板、２０…錠剤収容部、３０…錠剤押出孔、４０…凸部、５０…ガイド線、６０…スリット部、７０…鞘体、９０…ＰＴＰ包装、１１…係合部、１２，１３…天板、２１…錠剤服用孔、２２…天板、２３…底板、２４…錠剤服用孔、２５…スライド蓋、２６…錠剤服用孔、２９…側部、３１…長孔の端部、３２…長孔、３３…スライド蓋、３４…摺動溝、３５…先方側、４１…先方側、４２…後方側、４３，４６…凸部、４４，４７…尖端、４５…点状突起、５１，５２，５３…ガイド線、６１…上方側、６２…両側、７１…鞘体の開放部、９１，９３…錠剤格納部、９２…ＰＴＰ包装の縁部
【要約】  本発明は、異なる形状や大きさの錠剤であっても、格納されたＰＴＰ包装から錠剤が取り出しやすく、その服用管理がしやすく、外出時に携帯に適した簡単な構成の錠剤容器を提供するものである。  錠剤容器（１）は、つながったＰＴＰ包装（９０）を重ねて収容可能な錠剤収容部（２０）と、錠剤収容部（２０）の上方を覆う天板（１０）とを含み、天板（１０）に錠剤押出孔（３０）と、錠剤を押しだす際にＰＴＰ包装（９０）の裏面シートを下方に凸に湾曲させる湾曲支援手段（４０，４３，４６）と、錠剤の位置決め支援手段（５０，５１，５２，５３）とを備えさせ、錠剤押出孔（３０）と錠剤服用孔（２１）との覆い（７０）を備えた錠剤容器とさせる。【図１】
0005694621.tif 000002
【図２】
0005694621.tif 000003
【図３】
0005694621.tif 000004
【図４】
0005694621.tif 000005
【図５】
0005694621.tif 000006
【図６】
0005694621.tif 000007
【図７】
0005694621.tif 000008
【図８】
0005694621.tif 000009
【図９】
0005694621.tif 000010
【図１０】
0005694621.tif 000011